(57)【特許請求の範囲】
【請求項１】
ソールと、ソール上に連結されているアッパーとからなる靴本体が備えられており、該アッパー上に２のアイレットタブが並列してあり、前記２のアイレットタブのいずれかの一つのアイレットのあたりに留め具手段が設けられている靴において、
該留め具手段は、前記一つのアイレットタブのアイレットのあたりに固定されている第１の留め具と、前記第１の留め具に脱着可能に嵌入する第２の留め具とからなり、
前記第２の留め具は、ほぼ平面状の板体であり、前記第１の留め具に嵌入する嵌入端部と、前記嵌入端部と反対する側にあって前記アイレットの少なくとも一つのアイレットに代えて通孔が形成された紐通し端部とを有し、
また、前記ソール内に、その露出端部が前記第１の留め具を貫通してから前記第２の留め具の嵌入端部に連結されていて前記第２の留め具を前記第１の留め具へ引っ張る少なくとも一つのコードと、前記コードを巻き取る巻取り輪と、前記巻取り輪を駆動する電力駆動手段とからなる電動巻取り装置が埋められており、前記靴本体に、前記電力駆動手段を作動させるスイッチが設けられていることを特徴とする靴。
【請求項２】
前記アッパー内に、前記コードの前記電動巻取り装置と前記第１の留め具との間を通りかかる部分が貫通していて前記コードを案内・保護するパイプが埋められていることを特徴とする請求項１に記載の靴。
【請求項３】
前記第１の留め具は、少なくとも上下互いに向かい合っている上下板と前記上下板を連接し且つ前記第２の留め具へ向かい合っている側板とを備えているケース体であり、前記側板に前記第２の留め具を嵌入する開口が開けてあり、前記上板に通孔が形成してあり、
前記第２の留め具の、前記嵌入端部を前記開口に嵌入した際に、前記通孔と対応する処に、該通孔に嵌入する押しボタンが弾力的に浮沈することができるように設けられていることを特徴とする請求項１に記載の靴。
【請求項４】
前記電動巻取り装置は前記ソールの踵部内に埋められている収納ケース内に内蔵されており、
前記電力駆動手段は、前記巻取り輪を回転させるように前記巻取り輪と連結されている減速部材と、前記減速部材を駆動回転させるモータと、前記モータに電力を供給する少なくとも一つの電池とからなり、
また、前記スイッチは前記収納ケース上に設けられていることを特徴とする請求項１に記載の靴。
【請求項５】
前記第１の留め具の前記下板は、更に前記開口から外へアーク状のように徐々に下がって延長して案内板となり、また、前記スイッチは常時オフスイッチであり、
前記第１の留め具内に、上下接触して導通するように配置されている第１の導電性シートと第２の導電性シートとからなり、前記第２の導電性シートは前記開口に臨んでいる第２の通電端と、前記開口に遠ざかっている第２の固定端とを有し、前記第２の固定端は前記下板に固着され、前記第２の通電端の上面に接点が形成されており、前記第１の導電性シートは、前記第２の導電性シートのように第１の通電端と第１の固定端とがあり、前記第１の固定端が前記第２の導電性シートの第２の固定端の上面に固着され、前記第２の通電端が前記第１の導電性シートの第１の通電端における接点と弾力的に接触している常時オンスイッチが前記常時オフスイッチと直列して設置されており、
前記第２の留め具の下面に、前記第２の留め具が前記第１の留め具に嵌入した際、前記第１の導電性シートの通電端を引っかけて前記第２の導電性シートの通電端から離せる回路切断部材が設けられていることを特徴とする請求項３または４に記載の靴。
【請求項６】
前記２のアイレットタブにそれぞれ一連のアイレットが形成されており、
前記２のアイレットタブのアイレットを利用して靴ひもが交差して挿通されていることを特徴とする請求項１に記載の靴。
【請求項７】
前記２のアイレットタブにそれぞれ一つのアイレットが形成されており、
前記２のアイレットに帯状の靴ひもが挿通されていることを特徴とする請求項１に記載の靴。
【発明の詳細な説明】
【０００１】
【発明の属する技術分野】
本発明は靴に関し、特に、着脱が容易な靴に関する。
【０００２】
【従来の技術】
出願人は特願２００１−２９４５６４号にて「装着が容易な靴」を提案している。この靴は、図１に示すように、アッパー１上の、互いに並列してある第１及び第２のひも穴つまみ１０２，１０３のいずれか（この図例は第２のひも穴つまみ１０３の履き口１０１に近い箇所のあたりに、第１の留め具４が取り付けられ、該第１の留め具４に第２の留め具３が着脱可能に掛合している。そして、図２を合わせてみるように、前記第１の留め具４は、その側辺が前記第２のひも穴つまみ１０３の側辺に取り付けられている平面状取り付けセクション４０１と、前記取り付けセクション４０１の平面上に設けられている留め具掛合セクション４０２とを有する。また、第２の留め具３は前記第２のひも穴つまみ１０３の２のひも穴１０５に代えて２の通孔３０２が形成された靴ひも通しセクション３０１と、靴ひも通しセクション３０１から延在し、第１の留め具４の留め具掛合セクション４０２と脱着可能に掛合することができる留め具掛合セクション３０３とを有する。前記第１及び第２のひも穴つまみ１０２，１０３のひも穴１０５，１０６及び前記靴ひも通しセクション４０２の通孔３０２を順番に挿通している靴ひもユニット２が配置されている。
【０００３】
また、前記第２の留め具３の留め具掛合セクション３０３は、係止孔３０６が形成された凹部３０４と、前記凹部３０４を取り囲むよう配置されており、且つ、それと凹部３０４との間に傾斜面を有する案内部３０５とを含んでいる。そして、前記第１の留め具４の留め具掛合セクション４０２は、前記第１の留め具４の取り付けセクション４０１の面上にピボット可能に取り付けられているピボット端４０３ａと、前記取り付けセクション４０１に向かって突出する凸状突出部４０４が形成されており、且つ、前記ピボット端４０３ａの反対側にあるロック端４０３ｂとを有する弾性ラッチ部材である。
【０００４】
前記第１の留め具４が前記第２の留め具３の取り付けセクション３０１上に配置されると、前記弾性ラッチ部材（即ち前記留め具掛合セクション４０２は、そのピボット端についてピボットし、それにより、ロック端上の凸状突出部４０４が傾斜面上に沿って動き、凹部３０３内に入って前記係止孔３０６に係止され、第１の留め具４及び第２の留め具３が互いに掛合されて靴ひもを締めることができる。しかしながら、前記第１の留め具４と第２の留め具３とによる着脱の手作業はやや困難であり、まだ理想とは言えない。
【０００５】
【発明が解決しようとする課題】
上記に鑑みて、発明者は、検討に検討を重ねて、靴ひもを自動的に締めることができ、着脱が容易な靴を提供することを本発明の目的とする。
【０００６】
【課題を解決するための手段】
上記目的を達成するために、本発明は、ソールと、ソール上に連結されているアッパーとからなる靴本体が備えられており、該アッパー上に２のアイレットタブが並列してあり、前記２のアイレットタブのいずれかの一つのアイレットのあたりに留め具手段が設けられている靴において、該留め具手段は、前記一つのアイレットタブのアイレットのあたりに固定されている第１の留め具と、前記第１の留め具に脱着可能に嵌入する第２の留め具とからなり、前記第２の留め具は、ほぼ平面状の板体であり、前記第１の留め具に嵌入する嵌入端部と、前記嵌入端部と反対する側にあって前記アイレットの少なくとも一つのアイレットに代えて通孔が形成された紐通し端部とを有し、また、前記ソール内に、その露出端部が前記第１の留め具を貫通してから前記第２の留め具の嵌入端部に連結されていて前記第２の留め具を前記第１の留め具へ引っ張る少なくとも一つのコードと、前記コードを巻き取る巻取り輪と、前記巻取り輪を駆動する電力駆動手段とからなる電動巻取り装置が埋められており、前記靴本体に、前記電力駆動手段を作動させるスイッチが設けられていることを特徴とする靴を提供する。
【０００７】
このように構成された本発明の靴は、靴を履こうとする場合、前記スイッチで前記電力駆動手段を起動させ、前記巻取り輪で前記コードを巻き取ることにより、前記第２の留め具を引っ張って前記第１の留め具内に嵌入させることができるので、一回目しか手作業で靴ひもを締める必要がなくなり、着脱が極めて容易で便利である。
【０００８】
【発明の実施の形態】
以下、図面を参照しながら、本発明に係る靴の好ましい実施形態を説明する。
【０００９】
図３に示すのは、本発明の第１の実施形態を示す斜視図である。図示のように、本実施形態における靴１００は、ソール１１と、ソール１１上に連結されているアッパー１２とからなる靴本体１０が備えられている。アッパー１２上にそれぞれ一連のアイレット１２４，１２５が形成された第１及び第２のアイレットタブ１２２，１２３が並列してある。第２のアイレットタブ１２３のアイレット１２５の履き口１２１に近いあたりに、留め具手段３０が設けられている。
【００１０】
そして、図４に示すように、留め具手段３０は、第２のアイレットタブ１２３のアイレット１２５のあたりに固定されている第１の留め具３１と、第１の留め具３１に脱着可能に嵌入する第２の留め具３２とからなる。また、第２の留め具３２は、ほぼ平面状の板体であり、第１の留め具３１に嵌入する嵌入端部３２１と、嵌入端部３２１と反対する側にあって第２のアイレットタブ１２２の２のアイレット１２５に代えて２の通孔３２３が形成された紐通し端部３２２とを有する。なお、嵌入端部３２１の先端に２の開孔３２０が形成されている。
【００１１】
また、第１の留め具３１は、少なくとも上下互いに向かい合っている上下板３１１，３１２と上下板３１１，３１２を連接し且つ第２の留め具３２へ向かい合っている第１の側板３１３と、第１の側板３１３と反対する側にあって、４の貫通孔３１５が形成された第２の側板３１４とを備えているケース体である。第１の側板３１３に第２の留め具３２を嵌入する開口３１６が開けてある。上板３１１に通孔３１７が形成してある。
【００１２】
また、第２の留め具３２の、嵌入端部３２１を開口３１６に嵌入した際に、通孔３１７と対応する処に、通孔３１７に嵌入する押しボタン３２４が弾力的に浮沈することができるように設けられている。
【００１３】
また、図５及び図６に示すように、ソール１１の踵部１１１内に収納ケース４１が埋められている。収納ケース４１内に、その露出端部が第１の留め具３１の２の貫通孔３１５を貫通してから第２の留め具３２の嵌入端部３２１の開孔３２０に締められていて第２の留め具３２を第１の留め具３１へ引っ張る２のコード４２と、コード４２を巻き取る巻取り輪４３と、巻取り輪４３を駆動する電力駆動手段４４とからなる電動巻取り装置４０が内蔵されている。電力駆動手段４４は、巻取り輪４３を回転させるように巻取り輪４３と連結されている減速部材４５と、減速部材４５を駆動回転させるモータ４６と、モータ４６に電力を供給する複数の電池４７とからなる。また、収納ケース４１上に電力駆動手段４４を作動させる常時オフスイッチ６０が設けられている。なお、減速部材４５は複数の歯車４５１からなって、前記モータの軸芯と噛み合わせてモータ４６の回転を減速するものである。
【００１４】
また、アッパー１２内に、２のコード４２の電動巻取り装置４０と第１の留め具３１との間を通りかかる部分が貫通していて２のコード４２を案内・保護する第１のパイプ５１が埋められている。
【００１５】
また、図７及び図８を図３と合わせてみると、第１の留め具３１の下板３１２は、更に開口３１６から外へアーク状のように徐々に下がって延長して案内板３１８となる。第１の留め具３１内に、上下接触して導通するように配置されている第１の導電性シート７１と第２の導電性シート７２とからなる常時オンスイッチ７０が常時オフスイッチ６０と直列して設置されている。そして、第２の導電性シート７２は開口３１６に臨んでいる第２の通電端７２１と、開口３１６に遠ざかっている第２の固定端７２２とを有し、第２の固定端７２２は下板３１２に固着され、第２の通電端７２１の上面に接点７２３が形成されている。第１の導電性シート７１は、第２の導電性シート７２のように第１の通電端７１１と第１の固定端７１２とがあり、第１の固定端７１２が第２の導電性シート７２の第２の固定端７２２の上面に固着され、第２の通電端７２１が第２の導電性シート７２の第２の通電端７２２における接点７２３と弾力的に接触している。また、第２の留め具３２の押しボタン３２４の下面に、第２の留め具３２が第１の留め具３１に嵌入した際、第１の導電性シート７１の通電端７１１を引っかけて第２の導電性シート７２の通電端７２１から離せるＬ字型の回路切断部材３３が設けられている。また、第１の導電性シート７１及び第２の導電性シート７２のそれぞれの第１の通電端７１１及び第２の通電端７２１に、それぞれ第１の留め具３１における他の２の通孔３１５を貫通して電動巻取り装置４０と連結されている２の電源コード４８が締められている。２のパイプ５１の側辺に、２の電源コード４８の電動巻取り装置４０と第１の留め具３１との間を通りかかる部分が貫通していて２の電源コード４７を案内・保護する２の第２のパイプ５２が連結されている。なお、２の第２のパイプ５２の側辺に、アッパー１２上に縫い合わせている固定シート５３が連結されている。
【００１６】
このように、使用者が始めて本実施形態における靴１００を履こうとする場合、図５及び図８に示すように、足を靴本体１０に入ると、踵部の常時オフスイッチ６０を押圧して、モータ４６を起動させ、減速部材４５を回転させると伴い、巻取り輪４６でコード４２を巻き取ることにより、第２の留め具３２を第１の留め具３１へ引っ張って第２の留め具３２を第１の留め具３１の開口３１６に嵌入すると共に、押しボタン３２４も上板３１１の通孔３１７に嵌入することができる。この場合、図７に示すように、押しボタン３２４の下面における回路切断部材３３が第１の導電性シート７１の通電端７１１を引っ掛けて第２の導電性シート７２の通電端７２１から離せることにより、モータ４６をオフ状態にして停止させる。それに引き続いて、靴ひも２０を、第１及び第２のアイレットタブ１２２，１２３のアイレット１２４，１２５及び第２の留め具３２の通孔３２３を順番に挿通し、最後に、履き口１２１に近いアイレット１２４，１２５を挿通してから結び目をつける。
【００１７】
また、使用者が靴１００を脱ごうとする場合に、図９及び図１０に示すように、押しボタン３２４を押圧して通孔３１７内に没入させることにより、第１の留め具３１と第２の留め具３２との係合を解除することができる。この時、手や足自体で第１及び第２のアイレットタブ１２４，１２５の距離を開いて第２の留め具３２を第１の留め具３１から脱出させることができる。従って、靴を素早く且つ容易に脱ぐことができる。
【００１８】
そして、再び靴１００を履こうとする場合、足を靴本体１０に入れると、踵部の常時オフスイッチ６０を押圧してオンさせ、モータ４６を起動させて巻取り輪４６でコード４２を巻き取ることにより、第２の留め具３２を第１の留め具３１へ引っ張って第２の留め具３２を第１の留め具３１の開口３１６に嵌入すると共に、通孔３１７の押しボタン３２４に対する係止によって第１の留め具３１を第２の留め具３２内に止め、且つ、押しボタン３２４の下面における回路切断部材３３が第１の導電性シート７１の通電端７１１を引っ掛けて第２の導電性シート７２の通電端７２１から離せることにより、モータ４６をオフ状態にして停止させることができるので、靴ひも２を自動的に締めることができる。このように、一回目のような手作業で靴ひもを締める必要がないので、靴の着脱作業が容易且つ便利になる。
【００１９】
次に、図１１に示すのは本発明の第２の実施形態である。本実施形態における靴１００ａは、前記第１の実施形態におけるスポーツ靴と異なり、２のアイレットタブ１２２ａ，１２３ａにそれぞれアイレット１２６ａ，１２５ａが一つしか形成されていず、２のアイレット１２５ａ，１２６ａに帯状の靴ひも２０ａが挿通されているものである。なお、本実施形態における他の構成は前記第１の実施形態と同様であるので、その説明を省略する。本実施形態における靴の着脱作業は前記第１の実施形態と同様に、靴を履こうとする場合、スイッチ６０ａで電動巻取り装置４０ａを起動させることにより、第２の留め具３２ａを引っ張って第１の留め具３１ａ内に嵌入させることができるので、一回目しか手作業で靴ひもを締める必要がなくなり、着脱が極めて容易で便利である。
【００２０】
【発明の効果】
上記のように、本発明の靴は、靴を履こうとする場合、前記スイッチで前記電力駆動手段を起動させ、前記巻取り輪で前記コードを巻き取ることにより、前記第２の留め具を引っ張って前記第１の留め具内に嵌入させることができるので、一回目しか手作業で靴ひもを締める必要がなくなり、着脱が極めて容易で便利である。
【図面の簡単な説明】
【図１】従来の靴を示す斜視図である。
【図２】従来の靴の留め具手段を示す分解図である。
【図３】本発明の第１の実施形態における靴を示す斜視図である。
【図４】第１の実施形態における靴の留め具手段を示す分解図である。
【図５】第１の実施形態における電動巻取り装置がソール内に埋められた状態を示す上面図である。
【図６】第１の実施形態における電動巻取り装置がソール内に埋められた状態を示す側面図である。
【図７】第１の実施形態における第２の留め具が第１の留め具に嵌入した状態を示す側面断面図である。
【図８】図７の８―８の断面図である。
【図９】第１の実施形態における第２の留め具が第１の留め具から脱出した状態を示す側面断面図である。
【図１０】第１の実施形態における第２の留め具が第１の留め具から脱出した状態を示す斜視図である。
【図１１】本発明の第２の実施形態における靴を示す上面図である。
【符号の説明】
１    アッパー
１０１    履き口
１０２    第１のひも穴つまみ
１０３    第２のひも穴つまみ
１０５    ひも穴
１０６    ひも穴
２    靴ひもユニット
３    第２の留め具
３０１    靴ひも通しセクション
３０２    通孔
３０３    留め具掛合セクション
３０４    凹部
３０５    案内部
３０６    係止孔
４    第１の留め具
４０１    取り付けセクション
４０２    留め具掛合セクション（弾性ラッチ部材）
４０３ａ    ピボット端
４０３ｂ    ロック端
４０４    凸状突出部
１００，１００ａ    靴
１０    靴本体
１１    ソール
１１１    踵部
１２    アッパー
１２１    履き口
１２２    第１のアイレット
１２２ａ    第１のアイレット
１２３    第２のアイレット
１２３ａ    第２のアイレット
１２４    アイレット
１２５，１２５ａ    アイレット
１２６ａ    アイレット
２０，２０ａ    靴ひも
３０    留め具手段
３１，３１ａ    第１の留め具
３１１    上板
３１２    下板
３１３    第１の側板
３１４    第２の側板
３１５    貫通孔
３１６    開口
３１７    通孔
３１８    案内板
３２，３２ａ    第２の留め具
３２０    開孔
３２１    嵌入端部
３２２    ひも通し端部
３２３    通孔
３２４    押しボタン
３３    回路切断部材
４０，４０ａ    電動巻取り装置
４１    収納ケース
４２    コード
４３    巻取り輪
４４    電力駆動手段
４５    減速部材
４５１    歯車
４６    モータ
４７    電池
４８    電源コード
５１    第１のパイプ
５２    第２のパイプ
５３    固定シート
６０，６０ａ    常時オフスイッチ
７０    常時オンスイッチ
７１    第１の導電シート
７１１    第１の通電端
７１２    第１の固定端
７２    第２の導電シート
７２１    第２の通電端
７２２    第２の固定端
７２３    接点
【図１】
0003682967.tif 000002
【図２】
0003682967.tif 000003
【図３】
0003682967.tif 000004
【図４】
0003682967.tif 000005
【図５】
0003682967.tif 000006
【図６】
0003682967.tif 000007
【図７】
0003682967.tif 000008
【図８】
0003682967.tif 000009
【図９】
0003682967.tif 000010
【図１０】
0003682967.tif 000011
【図１１】
0003682967.tif 000012